(57)【要約】【課題】    凹版印刷用のニッケル多面版を複製するために、金属版から成る凹版原版の模様を転写することで凸状樹脂型版を複数作製し、複数の凸状樹脂型版をマトリックス状に並べて辺と辺を溶着することで多面樹脂凸版を製造する工程において、位置ずれすることなく多面版を作製できる多面版作製装置を提供する。【解決手段】    多面樹脂型版作製工程における溶着工程において、前記樹脂型版を前記溶着機のステージに配置する際に、樹脂型版をマトリックス状に配置した樹脂型版の裏面を吸着し、四辺を挟持して固定する位置決め固定板を用いることで、位置ずれすることなく各樹脂型版の隣り合う辺と辺を溶着することができる多面版作製装置を用いるようにしたことを特徴とする。【選択図】  図２
2010253880.tif 000002
【特許請求の範囲】
【請求項１】
金属原版の模様を熱可塑性樹脂板に転写して作られた樹脂型版を所定の数だけマトリックス状に接合して多面版を作製する装置であって、
所定のサイズに精裁された複数の前記樹脂型版を、前記所定の面数だけマトリックス状に配置して固定するための枠を備えた位置決め固定板と、
前記位置決め固定板を載置するテーブル表面が、前後にスライドする手段と、及び／又は、前記位置決め固定板を載置するテーブル表面が、水平状態で回転可能な手段を備え、前記位置決め固定板の載置される位置や角度を調整可能な溶着ステージと、
前記溶着ステージ上方にあって、各樹脂型版の辺と辺を接合するための溶着電極と、前記溶着電極を前記溶着ステージで昇降可能に担持する昇降部とから成り、前記接合する部位を内部加熱する溶着部を少なくとも備えることを特徴とする多面版作製装置。
【請求項２】
前記位置決め固定板は、前記樹脂型版をマトリックス状に配置するための吸着板と、
前記マトリックス状に配置された樹脂型版を四方から挟持して固定する枠とから成り、
吸着板の表面には、前記マトリックス状に配置された樹脂型版の下に少なくとも一つ以上設けられた孔を少なくとも有する吸引機構とを備え、
前記固定する枠の４辺のうち、少なくとも各々対向する辺の１辺がスライドしてマトリックス状に配置された樹脂型版を挟持することを特徴とする請求項１記載の多面版作製装置。
【請求項３】
前記溶着ステージの上方に設けられ、前記溶着ステージ上に載置された複数の樹脂型版を撮像するための撮像部と、
前記撮像部を前記樹脂型版に対して相対的に移動させる移動手段と、
撮像部によって得られた画像を映し出す表示部と、
前記表示部に所定の標線を表示する標線表示手段とを備え、
前記撮像部の相対移動量に基づき、前記樹脂型版の面間寸法を確認することができることを特徴とする請求項１又は２記載の多面版作製装置。
【請求項４】
マトリックス状に位置決めされた樹脂型版の各模様間の面間寸法許容値をあらかじめ記憶し、前記撮像部の相対移動量で測長された面間寸法が、前記記憶された寸法許容値に収まっているかを判定する記憶判定部を備えることを特徴とする請求項４記載の多面版作製装置。
【請求項５】
金属原版の模様を熱可塑性樹脂板に転写して作られた樹脂型版を所定の数だけマトリックス状に接合した多面版を作製する方法であって、
前記金属原版の表面に備えた凸状模様、又は、凹状模様を、加熱と加圧により前記凸状に対応する凹状模様、又は、前記凹状模様に対応する凸状模様として前記熱可塑性樹脂板に転写して樹脂型版を少なくとも前記所定の数作製するプレス工程と、
前記模様が転写された前記樹脂型版を所定の寸法に精裁する精裁工程と、
前記精裁された樹脂型版を前記所定の数だけマトリックス状に配置し、位置ずれしないように樹脂型版の背面から吸着し、前記マトリックス状に配置された樹脂型版の四辺を挟持して固定する位置決め工程と、
前記位置決め工程でマトリックス状に位置決め固定し、前記マトリックス状に配置した樹脂型版の隣り合う辺と辺を溶着する溶着工程から成ることを特徴とする多面版作製方法。
【請求項６】
前記位置決め工程が、前記樹脂型版をマトリックス状に配置するステップと、前記樹脂型版の背面から吸着して浮き上がらないように仮固定するステップと、マトリックス状に配置された前記樹脂型版の四辺を挟持して本固定するステップとから成ることを特徴とする請求項５記載の多面版作製方法。
【請求項７】
前記溶着工程が、前記溶着電極をマトリックス状に並べられた前記樹脂型版の隣り合う辺と辺の溶着すべき接合部へ位置合わせするステップと、前記溶着電極を前記接合部へ接触させ、接触圧を調整するステップと、前記接合部を溶着電極によって加熱するステップと、加熱されて前記接合部の隣り合う辺と辺が溶着されたあとに冷却するまで接触圧を維持したあと溶着電極を離脱するステップとを繰り返し、すべての接合部を溶着することで多面版を作製することを特徴とする請求項５記載の多面版作製方法。
【発明の詳細な説明】
【技術分野】
【０００１】
本発明は、凹版印刷版を作製する方法に関するもので、さらには、有価証券や紙幣のような同一絵柄が多数マトリクス状に配置されているような印刷版を作製する際に、樹脂型版を接合する技術に関するものである。
【背景技術】
【０００２】
線幅や深さの異なる画線が金属版上に彫刻された凹版原版から、印刷機に取り付けてインキを凹版画線に押し込んで印刷するための凹版印刷版を作製する工程は、すでに知られており、例えば、以下に示す一般的な多面版作製方法がある。
【０００３】
凹版原版サイズの厚さ０．５mm〜０．８mmの熱可塑性樹脂板を凹版原版上に置き、それをプレス機において約１７０℃まで加熱した後、プレス機の上定盤と下定盤の間で約１００〜２００ｋｇ／ｃｍ２の圧力で押し付けて、金属版上の彫刻絵柄を樹脂板に転写する。冷却後取り出して、樹脂を金属原版から剥離すると、樹脂板上には凸画線が転写される。その後も同様のプレス工程を繰り返して、何枚もの凸画線の樹脂版を得る。裁取機を使用して、作製した樹脂版を所定の寸法に精裁する。精裁した樹脂版同士の面間ピッチを測定しながらマトリックス状の所定の位置に配置し、テープ等で仮止めを行う。マトリックス状に配置した樹脂版を溶着機のステージに移して仮止めをはずし、マトリックス状の樹脂版の辺と辺との溶着を行い、樹脂多面版を作製する。
【０００４】
この多面樹脂版の表面を銀鏡加工し、この凸画線から成る多面樹脂版を銅電鋳し、多面樹脂版を取り除くことで凹画線から成る銅板の中間凹原版を作製するが、この中間凹原版を用いて最終的には、凹版印刷機の版胴に装着する印刷版となるニッケル版を大量生産するために用いられる。また、この凹版印刷版は、耐摩耗性を高めるために、クロムめっきを施される。
【０００５】
また、多面樹脂版を作製する工程における溶着工程を省略するために、多面版サイズの熱可塑性樹脂板を用意し、プレス機を用いて加熱しつつ所定の面位置に凹版原版の彫刻模様を転写し、マトリックス状に模様が配置された多面樹脂凸版版面を作製する方法及び装置も提案されている（特許文献１）。
【先行技術文献】
【特許文献】
【０００６】
【特許文献１】特公平７−１１０５３４号公報
【発明の概要】
【発明が解決しようとする課題】
【０００７】
特許文献１記載の方法は、多面凸版を作製するために必要とする面数分だけプレス成形を繰り返す必要があり、複数回のプレス形成時に一面分だけでも凸版形状の異常が生じた場合、他の面位置の凸版部に異常がなくても多面サイズのプラスチック版はそのまま損版となってしまうため非効率である。そのため、あらかじめプレス機において１面サイズの凸版を多数製作しておき、必要面数分以上確保できてから多面化に形成する従来の一般的な多面版作製方法の方が合理的であり、また、個々の作製した1面サイズ版の中で、より品質の良いものを選定できる利点もある。
【０００８】
しかし、従来の一般的な多面版作製方法では、精裁した樹脂版の辺と辺を溶着していく際に、仮止め時のずれや、ウェルダー（溶着機）のステージに移し変える時の位置ずれなどの原因で、多面樹脂版における個々の樹脂版の位置精度すなわち、X方向及びY方向の面間寸法の精度が低く、この寸法精度の低さが、多面凹版における印刷物の刷り合わせ精度の低下につながり、有価証券である多色高精彩印刷物としての品質の低下を招いているという欠点があった。
【０００９】
そこで、本発明は、このような技術的課題を解決するためになされたものであり、多面樹脂版を作製する工程において、多面樹脂版を高精度に位置決め配置したまま溶着し、多面樹脂版を作製する装置及びその方法を提供することを目的とする。
【課題を解決するための手段】
【００１０】
本発明の多面版作成装置は、金属原版の模様を熱可塑性樹脂板に転写して作られた樹脂型版を所定の数だけマトリックス状に接合して多面版を作製する装置であって、所定のサイズに精裁された複数の樹脂型版を、所定の面数だけマトリックス状に配置して固定するための枠を備えた位置決め固定板と、位置決め固定板を載置するテーブル表面が、前後にスライドする手段と、及び／又は、位置決め固定板を載置するテーブル表面が、水平状態で回転可能な手段を備え、位置決め固定板の載置される位置や角度を調整可能な溶着ステージと、溶着ステージ上方にあって、各樹脂型版の辺と辺を接合するための溶着電極と、溶着電極を溶着ステージで昇降可能に担持する昇降部とから成り、接合する部位を内部加熱する溶着部を少なくとも備えることを特徴とする。
【００１１】
本発明の多面版作成装置に用いられる位置決め固定板は、樹脂型版をマトリックス状に配置するための吸着板と、マトリックス状に配置された樹脂型版を四方から挟持して固定する枠とから成り、吸着板の表面には、マトリックス状に配置された樹脂型版の下に少なくとも一つ以上設けられた孔を少なくとも有する吸引機構とを備え、固定する枠の４辺のうち、少なくとも各々対向する辺の１辺がスライドしてマトリックス状に配置された樹脂型版を挟持することを特徴とする。
【００１２】
また、本発明の多面版作製装置には、溶着ステージの上方に設けられ、溶着ステージ上に載置された複数の樹脂型版を撮像するための撮像部と、撮像部を前記樹脂型版に対して相対的に移動させる移動手段と、撮像部によって得られた画像を映し出す表示部と、表示部に所定の標線を表示する標線表示手段とを備え、撮像部の相対移動量に基づき、樹脂型版の面間寸法を確認することができることを特徴とする。
【００１３】
また、多面版作製装置には、マトリックス状に位置決めされた樹脂型版の各模様間の面間寸法許容値をあらかじめ記憶し、前記撮像部の相対移動量で測長された面間寸法が、前記記憶された寸法許容値に収まっているかを判定する記憶判定部を備えてもよい。
【００１４】
本発明の多面版作製方法は、金属原版の模様を熱可塑性樹脂板に転写して作られた樹脂型版を所定の数だけマトリックス状に接合した多面版を作製する方法であって、金属原版の表面に備えた凸状模様、又は、凹状模様を、加熱と加圧により凸状に対応する凹状模様、又は、凹状模様に対応する凸状模様として熱可塑性樹脂板に転写して樹脂型版を少なくとも所定の数作製するプレス工程と、模様が転写された樹脂型版を所定の寸法に精裁する精裁工程と、精裁された樹脂型版を所定の数だけマトリックス状に配置し、位置ずれしないように樹脂型版の背面から吸着し、マトリックス状に配置された樹脂型版の四辺を挟持して固定する位置決め工程と、位置決め工程でマトリックス状に位置決め固定し、マトリックス状に配置した樹脂型版の隣り合う辺と辺を溶着する溶着工程から成ることを特徴とする。
【００１５】
また、本発明の多面版作製方法は、位置決め工程が、樹脂型版をマトリックス状に配置するステップと、樹脂型版の背面から吸着して浮き上がらないように仮固定するステップと、マトリックス状に配置された樹脂型版の四辺を挟持して本固定するステップとから成ることを特徴とする。
【００１６】
また、本発明の多面版作製方法は、溶着工程が、溶着電極をマトリックス状に並べられた樹脂型版の隣り合う辺と辺の溶着すべき接合部へ位置合わせするステップと、溶着電極を接合部へ接触させ、接触圧を調整するステップと、接合部を溶着電極によって加熱するステップと、加熱されて接合部の隣り合う辺と辺が溶着されたあとに冷却するまで接触圧を維持したあと溶着電極を離脱するステップとを繰り返し、すべての接合部を溶着することで多面版を作製することを特徴とする。
【発明の効果】
【００１７】
本発明によれば、マトリックス状に配置された樹脂型版を高精度に位置決め配置したまま溶着することが可能であり、多面樹脂版における個々の樹脂版の位置精度すなわち、Ｘ方向及びＹ方向の面間寸法の精度が高い多面版作製装置及び多面版作製方法を提供するものである。
【図面の簡単な説明】
【００１８】
【図１】本発明の多面版作製工程における各作業工程のフローチャートである。
【図２】本発明の位置決め固定板２の概略図である。
【図３】本発明の位置決め工程におけるフローチャートである。
【図４】本発明の多面版作製装置のブロック図である。
【図５】本発明の溶着ステージ２４の概略図である。
【図６】本発明の溶着工程におけるフローチャートである。
【発明を実施するための形態】
【００１９】
本発明をわかりやすく説明するために、有価証券等の凹版印刷版を作製する工程の一工程である多面版の作製工程について、説明する。
【００２０】
図１は、多面版作製工程における各作業工程のフローチャートであり、多面版作製工程は、大きく分けて、プレス工程（Ｓ１）、精裁工程（Ｓ２）、位置決め工程（Ｓ３）、溶着工程（Ｓ４）から成る。本発明の多面版作製装置１は、位置決め工程（Ｓ３）で使用する位置決め固定板と、溶着工程（Ｓ４）で使用する溶着部から成る。よって、本発明の装置及び作製方法は、位置決め工程（Ｓ３）及び溶着工程（Ｓ４）で説明する。
【００２１】
〔プレス工程〕
プレス工程は、プレス加工機を用いてさまざまな線幅や深さで母型模様の彫刻がなされた凹版原版の母型模様を加熱及び加圧することにより樹脂板材へ転写し、母型模様を凸状に転写された樹脂型版４を作製する工程である。
【００２２】
プレス加工機は、さまざまな線幅や深さで母型模様の彫刻がなされた凹版原版を用いて、凹版原版サイズの熱可塑性樹脂板に彫刻模様を凸状に転写する装置であって、ジャッキ等で２枚の定盤の上下で挟み込む加圧部と、上下定盤内部に電熱線が組み込まれており、この電熱線により加熱する加熱部と、上下定盤内部に格子状に配置された通水管を備えており、通水管を通る水の温度を調節することで上下定盤で挟み込まれた凹版原版と樹脂板材を冷却する冷却部とから成る。
【００２３】
プレス工程における製法としては、以下に示すａ〜ｄの工程が考えられる。
ａ．母型模様を備えた凹版原版の模様面上に、凹版原版サイズの樹脂板材を乗せる。
ｂ．上下一対から成る定盤で挟み込み、規定温度（１5０℃程度）まで加熱する。加熱部は上下定盤内に電熱線が組み込まれており、この電熱線により加熱される。
ｃ．規定加重（３０ｋｇ／ｃｍ２程度）を加えることで、樹脂板材を溶解させながら加圧による金型からの模様の転写を行う。
ｄ．一連の加熱加圧による転写形成が完了した後、加熱された定盤内部に格子状に設置された通水管に冷却水を通水循環することで定盤を強制冷却し、溶解した樹脂板材を凝固させることで凹版原版から剥離を容易にし、模様が凸状に転写された樹脂版を得ることができる。同様のプレス工程を何度も繰り返すことで、同一形状の凸状模様を備えた樹脂型版４を多数複製することができる。
【００２４】
樹脂板材に使う樹脂材料は、熱圧縮形成により変形可能な材料であり、かつ、後述する高周波溶着機や超音波溶着機により変形可能な材料であり、例えば、コーベックスポリ塩化ビニール（ＣＯＢＥＸ  Ｐ．Ｖ．Ｃ）のような熱可塑性樹脂である。
【００２５】
〔精裁工程〕
精裁工程は、裁取機を用いて樹脂型版４を指定寸法まで高精度に切削する工程である。
裁取機は、裁取機のステージ上に載置した樹脂型版４を位置出し固定するクランプと、スピーターの付いた切削刃と、ＣＣＤカメラから成り、ステージ上の所定の位置にセットされた樹脂型版４の四隅端辺を切削刃により０．２５ｍｍ刻みで切削して指定寸法まで調整していく。その際、模様面をセンターに配置させながら樹脂型版４の周りを均等に切削させるため、ＣＣＤカメラによる位置出し補正を行いながら切削加工を施していく。２０面版を作製する場合は、あらかじめ精裁工程において、所定の寸法に切削した樹脂型版４を２０版以上作製しておく必要がある。
【００２６】
〔位置決め工程〕
位置決め工程は、プレス工程及び精裁工程を経て作製された複数の１面サイズ樹脂型版４を高周波接合により精度良く溶着させて多面サイズの樹脂型版を作製するために、専用に作製した多面版作製装置１の位置決め固定板２を使用し、溶着時の寸法の誤差を抑制させるための工程である。
【００２７】
図２は、本発明の位置決め固定板１の概略図である。位置決め固定板１は、プレス工程及び精裁工程を経て作製された１面サイズ樹脂型版４を所定の数だけマトリックス状に並べることができる寸法の枠５と、その底板となる吸着板６と、吸着板６の表面に多数穿たれたバキューム孔７と、コンプレッサー８のチューブをつなぐためのバキューム配管口９と、マトリックス状に並べられた樹脂型版４を押さえるために枠の四辺に高精度に取り付けられたＸ側固定ジグ１０、Ｙ側固定ジグ１１、Ｘ側スライドジグ１２、Ｙ側スライドジグと１３、Ｘ側スライドジグ１２及びＹ側スライドジグ１３に取り付けられた押し付けハンドル１４から成る。
【００２８】
吸着板６には、吸着板６上に並べられた複数の樹脂型版４の位置ずれを防ぐために、吸着板６上に密着させるための吸引装置として、バキューム孔７、コンプレッサー８、バキューム孔配管口９を設けている。
【００２９】
バキューム孔７は、吸着板６上に並べられたすべての樹脂型板４を密着させるために、吸着板６に１面サイズ樹脂型版４を所定の数並べたときに、各樹脂型版４の下には必ず一つ以上のバキューム孔７を備えるように設けられている。位置決め固定板２の側面には、吸着板６内ですべてのバキューム孔７に通ずるバキューム孔配管の配管口９があり、このバキューム孔配管口９と図示しないコンプレッサー８とをチューブ等で接続し、コンプレッサー８によるバキューム吸引によって、吸着板６の上面と、吸着板６上に並べられた各樹脂型版４の下面が密着するように固定することができる。
【００３０】
また、樹脂型版４を吸着板６上の指定の位置へ移動可能な程度に密着させるための弱吸着と、位置が確定したあとに、各樹脂型版４が位置ずれを起こさないように枠５で所定の位置で固定し、樹脂型版４が浮き上がらないように吸着させるための強吸着に変更できるように２段階に吸着力を調整することが好ましい。２段階の調整は、バキュームの吸引力で調整してもよく、また、弱吸着を静電吸着で仮固定し、バキュームの吸引力で本固定してもよい。
【００３１】
位置決め固定板の枠５は、１面サイズ樹脂型版４をｋ行ｎ列のマトリックス状に並べて多面版とするための多面版サイズの枠となっている。図２に示す位置決め固定板２では、５行４列の２０面版サイズの枠としている。枠５の左辺と上辺は、高精度に加工されたＸ側固定ジグ１０とＹ側固定ジグ１１が直角となるように固定された固定枠となっている。枠５の右辺と下辺は、それぞれＸ方向及びＹ方向にスライドし、所定の位置で固定することができるＸ側スライドジグ１２とＹ側スライドジグ１３となっており、枠内に所定の数だけマトリックス状に並べられた樹脂型版４をハンドル１４を操作して挟み込み、図示しないネジやバネ等で固定することができる。
【００３２】
図３は、２０面サイズの多面版位置決め工程（Ｓ３）の流れを示すフローチャートである。位置決めをするためには、位置決め固定板の吸着板６上に、Ｘ側固定ジグ１０とＹ側固定ジグ１１に突き合わせながら樹脂型版４を５行４列の合計２０面敷き詰める（Ｓ３−１）。樹脂型版４がたわまないように、吸着板６の表面に備えられた孔７からバキューム吸引することで樹脂型版の背面を吸着し仮固定する（Ｓ３−２）。
【００３３】
枠５の下辺と右辺にあるＸ側スライドジグ１２とＹ側スライドジグ１３の押し付けハンドル１４を操作して、隣り合う樹脂型版４同士の辺と辺が完全に突き合せられた状態で四辺を挟み込み、図示しないネジ１５やばね等で本固定する（Ｓ３−３）。さらに、バキューム吸引力を強吸引としてもよい。
【００３４】
〔溶着工程〕
溶着工程は、前工程においてマトリックス状に位置決めされた樹脂型版４の辺と辺同士を多面版作製装置１の溶着部３で溶着し、多面の樹脂版面とする工程である。前工程においてマトリックス状に位置決めされた、樹脂型版４を固定して保持する位置決め固定板２が、前後に可動なスライドテーブル２５を有する溶着ステージ２４上に置かれる。
【００３５】
図４は、多面版作製装置１のブロック図を示している。多面版作製装置１は、位置決め固定版２と、位置決め固定版２を載置し、スライド機構やターンテーブル機構で溶着加工位置まで位置調整を可能とする溶着ステージ２４と、熱可塑性樹脂の接合部を内部加熱によって溶融し接合する溶着部３と、溶着ステージ２４の駆動モータや溶着部３を制御する制御部２２、溶着ステージ２４や溶着部３を操作する操作部２３から成る。多面版作製装置１の各部について説明する。
【００３６】
溶着部３は、周波数や出力を調整する溶着部本体１６と、接合加工を施す非加熱物（各樹脂型版）の接合部に接触して熱を発生させる溶着電極１７と、溶着電極１７の昇降機能を有し、接触圧の調整を行える昇降部１９とから成る。
【００３７】
溶着部本体１６は、高周波溶着装置、超音波溶着装置等の公知の溶着装置でよく、被加熱物の材質や加工条件に合わせて適宜選択すればよい。ただし、溶着しない箇所への熱影響を避けるため、非加熱物の溶着部分のみを内部加熱する装置であることが求められる。そのため、これら溶着装置の加熱方式と被加熱物との相性を考慮し、選定する必要がある。発明を実施するための形態では、溶着部本体１６を、高周波誘電加熱法を用いた高周波溶着装置とした。高周波誘電加熱法とは、数十ＭＨｚの高周波（電磁波）エネルギーの電界作用によって、原子や分子レベルの電位的な運動により被加熱物自身を内部から発熱させる溶着方法である。ヒーター等の一般的な外部加熱方式の装置では、被加熱物の外部から内部へ熱伝導によって加熱されるため、内部に熱が伝わるのに時間がかかり、加熱に時間がかかると接合部分の周辺にまで熱の影響が及ぶため、各樹脂型版４の辺と辺の接合では寸法誤差の要因と成り好ましくない。
【００３８】
溶着電極１７は、溶着ステージ２４に対して上方に設置され、この溶着電極１７には高周波電流が容易に流れるような素材、例えば黄銅、青銅、真鍮等の材料が用いられる。また、この溶着電極１７は、溶着ステージ２４に対して垂直方向に可動することで位置調整可能に担持される。
【００３９】
溶着電極１７には、溶着電極１７を保持する溶着電極ホルダー１８が溶着機本体１６とばね２０等を介在して把持されており、このばね２０の力を加減することで接触圧を任意に設定できる昇降部１９を備えている。
【００４０】
図５は、溶着ステージ２４の概略図を示している。溶着ステージ２４は、スライドテーブル２５とスライドテーブル２５中央に備えた円形状のターンテーブル２６からなっている。スライドテーブル２５は、ＬＭガイドとボールねじを組み合わせたスライド機能を有し、このボールねじの送り量をステッピングモータ等により手前側から奥側の指定された所定の位置まで前進、停止、後退等、高精度な直線送りが可能な位置調整機能となっている。
【００４１】
スライドテーブル２５の上面中央部の位置決め固定板２を添え付ける部分には、３６０度回転可能なターンテーブル機能を備えた円形状のターンテーブル２６となっている。ターンテーブル２６にもスライドテーブル２５と同様の位置調整機能を有しており、ターンテーブル２６中央に載置された位置決め固定板２が、上方にある溶着電極１７に対して任意の角度に位置調整可能な構造となっている。
【００４２】
制御部は、溶着ステージ２４のスライドテーブル２５やターンテーブル２６のモータの駆動量を制御と、溶着部本体１６から溶着電極１７へ送られる電流の出力や周波数の制御を行うものである。
【００４３】
操作部２３は、溶着ステージ２４上に載置された位置決め固定板２の位置調整を行うために、溶着ステージ２４のスライドテーブル２５やターンテーブル２６による位置決め調整を行うための操作を行ったり、溶着電極１７の昇降や、溶着電極１７への電流のオンオフ、接触圧の調整等の多面版作製装置１の各部操作を行う操作盤である。
【００４４】
図６は、本発明の溶着工程（Ｓ４）における溶着サイクルの流れをフローチャートで示している。溶着の手順を詳細に説明すると、１回目の溶着サイクルは次の手順で行われる。
【００４５】
ａ．溶着ステージ２４のスライドテーブル２５を手前に引き出し、ターンテーブル２６中央部に位置決め固定板２を載置する（S４−１）。
ｂ．溶着ステージ２４上に置かれた位置決め固定板２は、位置決め固定板２に保持された隣り合う各樹脂型版４の辺と辺の接合部境界の上方に溶着電極１７が位置するように、スライドテーブル２５及びターンテーブル２６を調整して位置決めされる（Ｓ４−２）。
【００４６】
ｃ．溶着電極１７が垂直に下方向に降下して樹脂型版４と溶着電極１７が接触させる（Ｓ４−３）。その際、溶着電極１７を接合部境界位置へ正確に降下接触させるため、溶着電極１７両端部に可視光赤色半導体レーザーポインタ２１を具備することで、あらかじめ溶着電極１７が接触する正確な位置を確認できるようになっている。
【００４７】
ｄ．適切な接触圧で樹脂型版４の辺と辺の接合部境界に溶着電極１７を押し付ける（Ｓ４−４）。この時の接触圧は、溶着電極１７を保持する溶着電極ホルダー１８が溶着機本体１６とばね２０等を介在して把持されており、このばね２０の力を加減することで接触圧を任意に設定することができる。
ｅ．その後、高周波電流を溶着電極１７に印加し、接合部を内部加熱する（Ｓ４−５）。電流の印加は、通常は数秒もかからないが、場合によっては数十秒である。
ｆ．通電を切断した後も冷却されるまである一定時間（数秒から場合によっては数十秒）溶着電極１７を同じ接触圧で押し付け続ける（Ｓ４−６）。
ｇ．溶着電極１７を上方に逃がして、一つの溶着サイクルを終える（Ｓ４−７）。
【００４８】
ｈ．すべての接合部を溶着してない場合は、溶着ステージ２４を操作して前方に樹脂型版４の１辺分だけ移動させ、２回目の溶着サイクルを開始する。このように順次各樹脂型版４の辺同士を溶着させていく。マトリックスが５行４列のマトリックス状に構成されている場合、１行目と２行目間の溶着、２行目と３行目の溶着と、スライドテーブル２５を操作して前後方向に計４回の溶着サイクルで各行間のすべての辺同士の溶着が行われる。
【００４９】
ｉ．各行間の溶着が終了した後、今度は各列間の溶着を行うために、溶着ステージ２４上の位置決め固定板２をターンテーブル２６を操作して９０°回転させる。このとき必要があれば、接着したい樹脂版の列方向の長さに適した長さを持つ電極ブレードに交換する。位置決め固定板２の９０°回転後に、先ほどの溶着サイクルのステップ（Ｓ４−２）からステップ（Ｓ４−７）までを繰り返して、列方向の各辺の溶着を行う。マトリックスが４列あったことから、このサイクルを３回繰り返すことで各列間のすべての辺同士の溶着が完了する（Ｓ４−１０）。
【００５０】
位置決め固定板２を載置するターンテーブル２６の中央部には、位置決め固定版２がはまるような溝を切っておき、ターンテーブル２６の溝に嵌合する凸子を位置決め固定板２の裏面に具備し、ターンテーブル２６の溝に位置決め固定板の凸子を嵌め合わせることで、溶着サイクル時の位置決め固定板２の位置ずれを防止することができるようにしてもよい。
【００５１】
特に、今回のようにマトリックス状の樹脂型版４を溶着する場合は、行方向と列方向の溶着のみでよいため、ターンテーブル２６の替わりに、行方向の溶着時に嵌め合わせる溝ａと、列方向の溶着時に嵌め合わせる溝ｂの２つの溝をスライドテーブル２５にあらかじめ切っておき、行方向の溶着が終了したら、位置決め固定板２をはずして９０°回転し、列方向の溝ｂに嵌め合わせて列方向の溶着を行うようにすれば、ターンテーブル２６を有しない溶着ステージ２４であっても位置決め固定板２の位置ずれを防止して溶着工程を行うことができる。
【００５２】
溶着工程において、マトリックス状に並べられた樹脂型版４の隣り合うすべての辺と辺を溶着したら、溶着箇所の冷却を確認後、溶着ステージ２４から位置決め固定板２を降ろし、バキュームの吸引を切って位置決め固定板２から多面樹脂型版を取り外すことで、面間寸法の精度の高い多面樹脂型版を得ることができる。
【００５３】
作製された多面樹脂型版は、各模様間の面間寸法があらかじめ定められた寸法許容差に収まっていることを確認するため、例えば、特許第２５２２６１１号公報のような測長装置の測定テーブルに載置される。測長装置は、測定テーブル上に撮像管やＣＣＤイメージセンサ、ＣＭＯＳイメージセンサなどの撮像素子から成る撮像部と、撮像部を移動させる移動手段と、撮像部によって得られた画像を映し出すモニタテレビ等から成る表示部と、表示部に所定の標線を表示する標線表示手段とを備えている。
【００５４】
測長装置を用いて、マトリックス状に位置決め固定された複数の樹脂型版の一つ目の樹脂型版にある模様の測定箇所、又は、基準位置に標線を合わせてを始点とし、次に二つめの樹脂型版にある一つ目の樹脂型版と同一の測定箇所、又は、基準位置に標線を合わせてを終点とし、始点から終点までの撮像部の相対移動量をロータリーエンコーダーで求め、各樹脂型版の模様間の面間寸法が許容範囲に収まっているかどうかを目視で判断するか、又は、あらかじめ記憶した寸法許容値に収まっているかを記憶判定部で判定することで、最終確認を行うことができる。
【００５５】
このような撮像部搭載の測長装置を溶着ステージ２４上に具備することで、溶着直前の位置決め調整時（Ｓ４−２）に、面間寸法を事前に確認することができる。仮に、溶着直前に１面だけ許容範囲外のものを発見できれば、その樹脂型版１面だけを交換すればよいので、樹脂型版を２０面用いた多面樹脂型版が全面損版になるのを未然に防止することができる。
【００５６】
発明を実施するための形態においては、凹状模様金属版から加熱加圧による模様転写によって凸状模様樹脂型版を作製した場合の多面樹脂型版の作製方法について記載したが、本発明は、凸状模様金属版から加熱加圧によって模様転写して凹状樹脂型版を作製した場合の多面樹脂型版の作製方法にも利用することができる。
【符号の説明】
【００５７】
１    多面版作製装置
２    位置決め固定板
３    溶着部
４    樹脂型版（１面サイズ）
５    位置決め固定板の枠
６    吸着板
７    バキューム孔
８    コンプレッサー
９    バキューム孔配管口
１０  Ｘ側固定ジグ
１１  Ｙ側固定ジグ
１２  Ｘ側スライドジグ
１３  Ｙ側スライドジグ
１４  押し付けハンドル
１５  ネジ
１６  溶着部本体
１７  溶着電極
１８  溶着電極ホルダー
１９  昇降部
２０  ばね
２１  レーザーポインタ
２２  制御部
２３  操作部
２４  溶着ステージ
２５  スライドテーブル
２６  ターンテーブル
【図１】
2010253880.tif 000003
【図２】
2010253880.tif 000004
【図３】
2010253880.tif 000005
【図４】
2010253880.tif 000006
【図５】
2010253880.tif 000007
【図６】
2010253880.tif 000008